(57)【要約】【課題】スーパーなどの売り場において、種々の陳列形態や壁面を演出でき、また、収納の際、一体収納ができる多目的ボードあるいは商品陳列台を提供すること。【解決手段】表面部１は略波形縦断面形状であり、裏面部２はくり抜き状の空間に脚溝が形成された矩形状の多目的ボード１０ｈであって、脚溝は、平面視において一辺の長さがボードの短手方向の長さより小である２つの正方形状の溝４、５からなり、該２つの正方形状の脚溝４、５は、ボードの長手方向に延びる該正方形状の辺が同一線上となるように離間して配置されたもの。【選択図】図１５
0003131613.tif 000002
【実用新案登録請求の範囲】
【請求項１】
表面部は略波形縦断面形状であり、裏面部はくり抜き状の空間に脚溝が形成された矩形状のボードであって、該脚溝は、平面視において一辺の長さがボードの短手方向の長さより小である２つの正方形状の溝からなり、該２つの正方形状の脚溝は、ボードの長手方向に延びる該正方形状の辺が同一線上となるように離間して配置されたものであることを特徴とする多目的ボード。
【請求項２】
該正方形状のボードの長手方向に延びる溝は、該ボードの長手方向に連続して延びるものであることを特徴とする請求項１記載の多目的ボード。
【請求項３】
該裏面部の該２つの正方形状の脚溝のそれぞれの内側に、短手方向に延びる第１縦溝を更に形成したことを特徴とする請求項１又は２記載の多目的ボード。
【請求項４】
該裏面部の長手方向における両側部に、短手方向に延びる第２縦溝を更に形成し、短手方向に延びる縦溝を都合８つとしたことを特徴とする請求項３に記載の多目的ボード。
【請求項５】
該裏面部の短手方向における両側部に、長手方向に延びる横溝を更に形成したことを特徴とする請求項１〜４のいずれか１項に記載の多目的ボード。
【請求項６】
該裏面部の短手方向における両側部近傍に、長手方向に適宜の間隔で多数の螺子孔を形成したことを特徴とする請求項１〜５のいずれか１項に記載の多目的ボード。
【請求項７】
該略波形縦断面形状は、微小の凹部と微小長さの平坦部の繰り返し形状であることを特徴とする請求項１〜６のいずれか１項に記載の多目的ボード。
【請求項８】
該表面部の短手方向における両側端に、長手方向に延びる商品転落防止板が係合する横溝を更に形成したことを特徴とする請求項１〜７のいずれか１項に記載の多目的ボード。
【請求項９】
切削性樹脂からなる成型品であることを特徴とする請求項１〜８のいずれか１項に記載の多目的ボード。
【請求項１０】
短手方向又は長手方向に切断して長手方向又は短手方向の長さを調整したボードとして使用することを特徴とする請求項１〜９のいずれか１項に記載の多目的ボード。
【請求項１１】
請求項１〜１０のいずれか１項に記載の多目的ボードと、該脚溝に嵌る脚部とからなる商品陳列台であって、該脚部は、該正方形状の一辺と同じの長さで且つ脚溝に嵌る厚さの板状本体部と、該板状本体部の両側から直角に屈曲した該脚溝に嵌る厚さの係止部からなることを特徴とする商品陳列台。
【請求項１２】
該脚部の板状本体部を、該脚溝の長手方向に延びる２つの溝の中のいずれか一方に設置して、表面部を前方傾斜の陳列面としたことを特徴とする請求項１１記載の商品陳列台。
【請求項１３】
該脚部の板状本体部を、該脚溝の短手方向に延びる溝のうち、２つの溝にそれぞれ設置して、表面部を嵩高の陳列面としたことを特徴とする請求項１１記載の商品陳列台。
【請求項１４】
該脚部の長さを調整した少なくとの２つを、短手方向に隣接して表面部が階段状となるように設置したことを特徴とする請求項１３記載の商品陳列台。
【請求項１５】
隣接する２つの商品陳列台の中、後方の商品陳列台の裏面部の前方端の横溝に、ミラー板を設置したことを特徴とする請求項１４記載の商品陳列台。
【請求項１６】
該脚部の係止部を、該脚溝の長手方向に延びる溝に係合させ、くり抜き空間内に収納したことを特徴とする請求項１１記載の商品陳列台。
【考案の詳細な説明】
【技術分野】
【０００１】
本考案は、スーパーなどにおいて、商品を種々の陳列形態で陳列できる多目的ボード及び商品陳列台に関するものである。
【背景技術】
【０００２】
スーパーなどでは、商品を陳列する種々の形態の商品陳列台や商品陳列棚が使用されている。例えば、食品売り場の生鮮食料品の陳列においては、スノコ状の陳列板を用いて、和風のイメージを演出している。また、惣菜売り場では、陳列商品のボリューム感をだすために、階段状の陳列面を形成した商品陳列台が使用されている。
【考案の開示】
【考案が解決しようとする課題】
【０００３】
しかしながら、スノコ状の陳列板の場合、揚げかすやゴミが隙間から下方へ落下するため、スノコ状の陳列板を支える陳列什器の清掃は、スノコ状の陳列板を移動させてから行なうなど面倒であった。また、陳列商品に由来する揚げかすやゴミはスノコ状の陳列板の両端の溝部に溜まり易く、その除去掃除も面倒なものであった。
【０００４】
また、階段状の陳列面を形成した商品陳列台は、不要の際、収納場所を確保する必要があった。また、解体できるものであっても、陳列台本体と脚部を分離して保管するため、特に脚部を紛失しないような管理が必要であった。従って、階段状の陳列面を演出しつつ、収納に便利な商品陳列台が望まれていた。
【０００５】
一方、スーパーなどの売り場の壁面は、商品の陳列とは直接関係のない部分であり、白又は乳白色の壁面が露出したままの状態であり、顧客の購買意欲をかきたてるような配慮はなされていなかった。このため、簡易な方法で壁面の雰囲気を変える方法も望まれていた。
【０００６】
このように、スーパーなどの売り場においては、惣菜売り場、生肉売り場、鮮魚売り場などにおいて、共通に使用でき、しかも顧客の購買意欲を惹起する種々の陳列形態や壁面を演出でき、また、収納の際、一体収納ができる多目的ボードあるいは商品陳列台の開発が望まれていた。
【０００７】
従って、本考案の目的は、スーパーなどの売り場において、種々の陳列形態や壁面を演出でき、また、収納の際、一体収納ができる多目的ボードあるいは商品陳列台を提供することにある。
【課題を解決するための手段】
【０００８】
すなわち、本考案は、従来の上記課題を解決するものであって、表面部は略波形縦断面形状であり、裏面部はくり抜き状の空間に脚溝が形成された矩形状のボードであって、該脚溝は、平面視において一辺の長さがボードの短手方向の長さより小である２つの正方形状の溝からなり、該２つの正方形状の脚溝は、ボードの長手方向に延びる該正方形状の辺が同一線上となるように離間して配置されたものであることを特徴とする多目的ボードを提供するものである。
【０００９】
また、本考案は、該正方形状のボードの長手方向に延びる溝は、該ボードの長手方向に連続して延びるものであることを特徴とする
【００１０】
また、本考案は、該裏面部の該２つの正方形状の脚溝のそれぞれの内側に、短手方向に延びる第１縦溝を更に形成したことを特徴とする前記多目的ボードを提供するものである。
【００１１】
また、本考案は、該裏面部の長手方向における両側部に、短手方向に延びる第２縦溝を更に形成し、短手方向に延びる縦溝を都合８つとしたことを特徴とする前記多目的ボードを提供するものである。
【００１２】
また、本考案は、該裏面部の短手方向における両側部に、長手方向に延びる横溝を更に形成したことを特徴とする前記多目的ボードを提供するものである。
【００１３】
また、本考案は、該裏面部の短手方向における両側部近傍に、長手方向に適宜の間隔で多数の螺子孔を形成したことを特徴とする前記多目的ボードを提供するものである。
【００１４】
また、本考案は、該略波形縦断面形状は、微小の凹部と微小長さの平坦部の繰り返し形状であることを特徴とする前記多目的ボードを提供するものである。
【００１５】
また、本考案は、該表面部の短手方向における両側端に、長手方向に延びる商品転落防止板が係合する横溝を更に形成したことを特徴とする前記多目的ボードを提供するものである。
【００１６】
また、本考案は、切削性樹脂からなる成型品であることを特徴とする前記多目的ボードを提供するものである。
【００１７】
また、本考案は、短手方向又は長手方向に切断して長手方向又は短手方向の長さを調整したボードとして使用することを特徴とする前記多目的ボードを提供するものである。
【００１８】
また、本考案は、前記多目的ボードと、該脚溝に嵌る脚部とからなる商品陳列台であって、該脚部は、該正方形状の一辺と同じの長さで且つ脚溝に嵌る厚さの板状本体部と、該板状本体部の両側から直角に屈曲した該脚溝に嵌る厚さの係止部からなることを特徴とする商品陳列台を提供するものである。
【００１９】
また、本考案は、該脚部の板状本体部を、該脚溝の長手方向に延びる２つの溝の中のいずれか一方に設置して、表面部を前方傾斜の陳列面とした前記商品陳列台を提供するものである。
【００２０】
また、本考案は、該脚部の板状本体部を、該脚溝の短手方向に延びる溝のうち、２つの溝にそれぞれ設置して、表面部を嵩高の陳列面とした前記商品陳列台を提供するものである。
【００２１】
また、本考案は、該脚部の長さを調整した少なくとの２つを、短手方向に隣接して表面部が階段状となるように設置した前記商品陳列台を提供するものである。
【００２２】
また、本考案は、隣接する２つの商品陳列台の中、後方の商品陳列台の裏面部の前方端の横溝に、ミラー板を設置したことを特徴とする前記商品陳列台を提供するものである。
【００２３】
また、本考案は、該脚部の係止部を、該脚溝の長手方向に延びる溝に係合させ、くり抜き空間内に収納したことを特徴とする前記商品陳列台を提供するものである。
【考案の効果】
【００２４】
本考案の多目的ボードは、スーパーなどの売り場において、敷き詰めたマット状、前方下り傾斜状、嵩高状、階段状などの種々の陳列形態を演出できる。また、壁面に架ければ、略波形断面の柔らかい壁面を演出できる。また、従来のスノコ状の陳列板に代えて使用すれば、揚げ物やゴミが表面部の凹部に溜まり、容易に掃除できるため、衛生的である。また、ボードと脚部の２部品で、前方下り傾斜状、嵩高状、階段状などの種々の陳列形態を演出でき、更に、収納の際、脚部がボードの裏面部に一体収納できるため、収納場所を採らず、管理も不要となる。
【考案を実施するための最良の形態】
【００２５】
次ぎに、本考案の実施の形態における多目的ボードを図１〜図６を参照して説明する。図１は本例の多目的ボードの斜視図、図２は図１の多目的ボードの裏面図、図３は図２のＸ−Ｘ線に沿って見た図、図４は図２のＹ−Ｙ線に沿って見た図、図５は図２と同じ図１の多目的ボードの裏面図で、正方形状の溝の配置を説明する図、図６は図２と同じ図１の多目的ボードの裏面図で、正方形状の溝以外の縦溝を説明する図である。なお、図１中の長手方向の両側近傍に表れる鎖線は、多目的ボードの実体線ではなく、例えば必要に応じて切断が可能な切断線である。なお、図５及び図６において、黒く塗り潰した部分が、説明しようとする正方形状の溝又は縦溝である。
【００２６】
多目的ボード１０は、表面部１は略波形縦断面形状であり、裏面部２はくり抜き状の空間に脚溝が形成された矩形状のボードである。多目的ボード１０の材質は、切削性樹脂、特にＡＢＳ（アクリルニトリルブタジエンゴム）樹脂が好適である。これにより、特に短手方向や長手方向に切断して長手方向や短手方向の寸法をそれぞれ自由に調整したボードを使用現場で作製することができる。切削性樹脂とは、手動のノコギリなどで切断できる硬さを有するプラスティックを言う。
【００２７】
多目的ボード１０において、表面部１の略波形縦断面形状は、微小の凹部１ｂと微小長さの平坦部１ａの繰り返し形状である。すなわち、表面部１は、長手方向に延びる微小の凹溝１ｂが前後方向に多数付設されたものである。これにより、商品陳列台として、従来のスノコの代替品として使用すれば、揚げかすやゴミが凹溝１ｂに溜まり、除去し易い。また、これを壁面に設置すれば、柔らかい空間を演出できる。なお、多目的ボード１０を壁面に設置する場合、裏面部２にある螺子孔８の螺子を通して、壁面に固定すればよい。
【００２８】
多目的ボード１０の表面部１の短手方向における両側端には、商品転落防止板が係合する係止溝３が、ボード１０の長手方向に延びるようにそれぞれ設置されている。多目的ボード１０を商品陳列台とした場合、係止溝３に例えば矩形状の商品転落防止板を設置すれば、安定した商品の陳列が可能となる（図７参照）。また、係止溝３は、多目的ボード１０の端部に多目的ボード１０の厚さに相当した長さで形成しているため、多目的ボード１０のコンパクトさを生かした矩形状の良さを損なうことがない。
【００２９】
裏面部２の脚溝は、縦溝と横溝及びこれらが連通したもので、表面板の裏面から下方に突出するリブ状の一対の壁体から形成されている。裏面部２の脚溝は、平面視において一辺ｌの長さが多目的ボードの短手方向の長さＬより小である２つの正方形状の溝４、５が、多目的ボードの長手方向に延びる正方形状の辺４１、５１あるいは４３、５３が同一線上となるように離間して配置されたもの（正方形状に由来する脚溝）と、裏面部２の２つの正方形状の溝４、５のそれぞれの内側に、短手方向に延びるように形成された第１縦溝６１、６２と、裏面部２の長手方向における両側部に、短手方向に延びるように形成した第２縦溝６３、６４と、裏面部２の短手方向における両側部に、長手方向に延びるように形成した横溝７１、７２とからなる。
【００３０】
なお、正方形状の溝４、５の長手方向に延びる溝４１、５１は、ボード１０の長手方向に連続して延びている。従って、縦溝４２、４４、５２、５４はそれぞれ横溝７３と接続する部分で溝形状を維持するように連通している。
【００３１】
なお、正方形状の溝４、５を構成する２つの正方形状のうち、内側の正方形状のリブ状壁体（例えば図３の符号５３２）及びその内側に設置されているリブ９の高さは、正方形状の溝４、５を構成する外側のリブ状壁体（例えば図３の符号５３１）の高さよりも、脚部２１のほぼ厚さ分低くしている。これにより、脚部２１を収納した際、ボードの裏面部２のくり抜きの空間内に収めることができ、脚部２１を傷つけることなく、保管し易い。
【００３２】
この多目的ボード１０は、縦溝が４２、４４、５２、５４及び６１〜６４の都合８つであり、横溝が７１、７２及び７３の都合３つである。なお、本考案において、横溝７１、７２及び７３並びに縦溝６１〜６４は任意の構成要素であるが、これは付設しておくことが、多面的な使用ができる点で好適である。
【００３３】
多目的ボード１０の裏面部２の脚溝をこのような形状とした理由は次ぎの通りである。脚溝をリブ形状とすることで、ボード１０の機械的強度を高めることができる。また、脚溝を縦横に多数付設することで、脚部２１を種々の目的に合わせて設置位置を自由に変更できる。また、多目的ボード１０は手動ノコギリで切断が可能であり、長手方向に短くしたい場合、例えばＡ点で短手方向に切断すれば、長手方向にやや短い寸法のボードが得られ、しかも、端部に縦溝５４があるために脚部２１を設置した際、設置安定性が高まる。また、短手方向に短くしたい場合、例えばＣ点で長手方向に切断すれば、短手方向にやや短い寸法のボードが得られ、しかも、端部に縦溝７３があるために脚部２１を設置した際、設置安定性が高まる。なお、その他の切断点としては、縦溝の直近の外側が好ましく、例えばＢ点などが例示できる。
【００３４】
また、多目的ボード１０の裏面部２の短手方向における両側部近傍に、長手方向に適宜の間隔で多数の螺子孔８を形成している。これにより、壁面への設置が可能となる。すなわち、多目的ボード１０の表側から螺子孔８を通して螺子止めすることができる。また、壁面に設置された螺子を螺子孔８を通して締め付けることもできる。
【００３５】
また、多目的ボード１０の長手方向の一方の端部には、端部から外側へ延びる凸部１０１を両端にそれぞれ形成し、他方の端部の凸部１０１と対応する位置には、凹部１０２を端部から内側に延びるように形成し、複数の多目的ボード１０を長手方向に連続して接続できるようにしている。これにより、例えば冷ケースの中に敷詰めて長いマット状とすることができる。無論、多目的ボード１０は、単独で商品陳列台して使用できる。
【００３６】
次ぎに、本考案の実施の形態における商品陳列台を図８〜図１５を参照して説明する。図８は本例の実施の形態における商品陳列台の裏側から見た斜視図、図９は図８の商品陳列台の表側から見た斜視図、図１０は他の形態における商品陳列台の裏側から見た斜視図、図１１は図１０の商品陳列台の表側から見た斜視図、図１２は他の形態における商品陳列台の裏側から見た斜視図、図１３は他の形態における商品陳列台の表側から見た斜視図、図１４は他の形態における商品陳列台の表側から見た斜視図、図１５は収納状態にある商品陳列台の裏側から見た斜視図である。
【００３７】
商品陳列台１０ｂは、多目的ボード１０と、脚溝に嵌る脚部２１とからなる商品陳列台であって、脚部２１は、正方形状の溝４、５の一辺と同じの長さで且つ脚溝に嵌る厚さの板状本体部２１１と、板状本体部２１１の両側から直角に屈曲した脚溝に嵌る厚さの係止部２１２からなる。板状本体部２１１の幅寸法は、脚部の長さとなり、これは所望の嵩上げ寸法により適宜決定される。脚部２１に係止部２１２を設けることにより、設置安定性が向上する。なお、板状本体部２１１及び係止部２１２には、中央部に切り欠きをそれぞれ設けて脚溝への係合をし易くしている。
【００３８】
商品陳列台１０ｂは、２つの脚部２１を使用して、２つの正方形状の溝４、５の一辺（長手方向に延びる辺）の脚溝４３、５３に板状本体部２１１を、他の辺の脚溝４２、４４、５２、５４に係止部２１２を係合させたものである。すなわち、商品陳列台１０ｂは図９に示すように、脚部２１の板状本体部２１１を、脚溝の長手方向に延びる２つの溝の中の一方に設置して、表面部１を前方傾斜の陳列面としたものである。
【００３９】
商品陳列台１０ｃは、２つの脚部２１を使用して、２つの正方形状の一辺（短手方向に延びる辺）の脚溝４２、５４に板状本体部２１１を、他の辺の脚溝４１、４３、５１、５３に係止部２１２を係合させたものである。すなわち、商品陳列台１０ｃは図１１に示すように、脚部２１の板状本体部２１１を、脚溝の短手方向に延びる２つの溝にそれぞれ設置して、表面部１を嵩高の陳列面としたものである。
【００４０】
商品陳列台１０ｄは、短手方向の両側の横溝７１、７２に２つのミラー板３１を設置し、横溝７３に袴部材３１ａを設置したものである。これにより、表面部１を嵩高の陳列面とすると共に、ミラー板３１の前方の商品をボリューム感たっぷりに見せることができる。また、商品陳列台１０ｅは、商品陳列台１０ｃに対して、短手方向の一方の側の横溝７１にミラー板３１を設置したものである。これにより、ミラー板３１の前方に陳列された商品をボリューム感たっぷりにダミー陳列が可能となる。
【００４１】
また、商品陳列台１０ｅの変形例として、幅広（脚の長い）の板状本体部２１１を使用して同様に嵩高の商品陳列台１０ｆを構成することもできる（図１４の階段状陳列台の最後尾のもの）。
【００４２】
商品陳列台１０ｇは、脚部の脚の長さ（板状本体部２１１の幅寸法）を調整した３つの商品陳列台１０、１０ｅ、１０ｆを前後方向に隣接して設置し、陳列面を階段状としたものである。すなわち、商品陳列台１０は脚部２１の設置を省略し、商品陳列台１０ｅの脚部の脚の長さは普通に、商品陳列台１０ｆの脚部の脚の長さを大とし、それぞれの商品陳列台１０、１０ｅ、１０ｆには、商品転落防止板１１０を設置し、商品陳列台１０ｅ、１０ｆには、前方端にミラー部材３１、３１を設置したものである。階段状の商品陳列台１０ｇは、商材をボリューム感たっぷりに陳列することができる。
【００４３】
脚部２１を用いた商品陳列台は、不要時又は保管時、脚部２１をボード１０から取り外し、脚部２１の係止部２１２を、脚溝の長手方向に延びる一つの溝４３又は５３に差し込み、片持ちで支持して、脚部２１を収納することができる（図１５の商品陳列台１２０ｈ）。なお他方の係止部２１２は、溝７３の手前に位置していて、溝７３には差し込まれていない。溝４３又は５３の内側のリブ状壁体及びその内側に設置されているリブ９の高さは、溝４３又は５３の外側のリブ状壁体の高さよりも、脚部２１のほぼ厚さ分低くしている。これにより、脚部２１を収納した際、ボードの裏面部２のくり抜きの空間内に完全に収めることができ、脚部２１を傷つけることなく、保管し易い。
【図面の簡単な説明】
【００４４】
【図１】本実施の形態における多目的ボードの斜視図。
【図２】図１の多目的ボードの裏面図。
【図３】図２のＸ−Ｘ線に沿って見た図。
【図４】図２のＹ−Ｙ線に沿って見た図。
【図５】図２と同じ図１の多目的ボードの裏面図で、正方形状の配置を説明する図。
【図６】図２と同じ図１の多目的ボードの裏面図で、正方形状以外の縦溝を説明する図。
【図７】図１の多目的ボードの商品転落防止板を設置した商品陳列台の斜視図。
【図８】本例の実施の形態における商品陳列台の裏側から見た斜視図。
【図９】図８の商品陳列台の表側から見た斜視図。
【図１０】他の形態における商品陳列台の裏側から見た斜視図。
【図１１】図１０の商品陳列台の表側から見た斜視図。
【図１２】他の形態における商品陳列台の裏側から見た斜視図。
【図１３】他の形態における商品陳列台の表側から見た斜視図。
【図１４】他の形態における商品陳列台の表側から見た斜視図。
【図１５】収納状態にある商品陳列台の裏側から見た斜視図。
【符号の説明】
【００４５】
１        表面部
１ａ      平坦部
１ｂ      微小の凹部
２        裏面部
３        係止溝
４、５    正方形状の溝
８        螺子孔
１０      多目的ボード
１０ａ〜１０ｈ    商品陳列台
２１      脚部
４１〜４４、５１〜５４    正方形状の一辺（脚溝）
６１、６２  第１縦溝
６３、６４  第２縦溝
７１、７２  横溝
２１１      板状本体部
２１２      係止部    
【図１】
0003131613.tif 000003
【図２】
0003131613.tif 000004
【図３】
0003131613.tif 000005
【図４】
0003131613.tif 000006
【図５】
0003131613.tif 000007
【図６】
0003131613.tif 000008
【図７】
0003131613.tif 000009
【図８】
0003131613.tif 000010
【図９】
0003131613.tif 000011
【図１０】
0003131613.tif 000012
【図１１】
0003131613.tif 000013
【図１２】
0003131613.tif 000014
【図１３】
0003131613.tif 000015
【図１４】
0003131613.tif 000016
【図１５】
0003131613.tif 000017